【事件の表示】
　特許第２９７４６２４号「順次出力動的シフトレジスタを備えるインク・ジェット印刷ヘッド識別回路」の請求項１ないし６、８ないし１６に係る特許に対する特許異議の申立てについて、次のとおり決定する。
【結　論】
　訂正を認める。
　特許第２９７４６２４号の請求項１ないし６、８ないし１６に係る特許を維持する。
【理　由】
１．訂正の適否
１−１．訂正の内容
　特許第２９７４６２４号（以下、「本件」という。）に係る明細書及び図面は、平成１５年４月８日付けの訂正請求書により訂正された明細書及び図面（以下、「訂正明細書等」という。なお、平成１３年７月５日付け訂正請求は取り下げられた。）のとおりに訂正され、その内容は、以下のとおりである。
訂正事項ａ
　請求項1の「制御信号(29)」を、「制御信号」と訂正するものである。
訂正事項ｂ
　請求項1の「アドレス線」を、「アドレス線(29)」と訂正するものである。
訂正事項ｃ
　請求項1の「前記識別回路に接続された入力線であり、それによって該識別回路に制御信号(29)を受け取らせ、該制御信号(29)に応答して前記ディジタル・コードを順次送り出させるように為す入力線と」を、「前記識別回路に接続された入力線であり、それによって該識別回路に制御信号を受け取らせ、該制御信号に応答して前記ディジタル・コードを順次送り出させるように為す入力線であり、前記ディジタル・コードが前記識別回路と接続されている前記アドレス線(29)の数に依存しないビット数を含むことから成る入力線と」と訂正するものである。
訂正事項ｄ
　請求項2の「制御信号(29)」を、「制御信号」と訂正するものである。
訂正事項ｅ
　請求項4の「制御信号(29)」を、「制御信号」と訂正するものである。
訂正事項ｆ
　請求項9の「出力線(35)とを備え、前記プリンタ制御回路(26)が」を、「出力線(35)とを備え、前記ディジタル・コードが前記識別回路と接続されている前記アドレス線(29)の数に依存しないビット数を含み、前記プリンタ制御回路(26)が」と訂正するものである。
訂正事項ｇ
　請求項12において、
(1)「インクを印刷媒体上に付着させるインク・ジェット印刷ヘッド(24)のタイプを識別する識別情報であり、前記インクのパラメータの内の一部が対応している識別情報をインク・ジェット・プリンタに提供する方法であって、」を、「インク・ジェット印刷ヘッド(24)のタイプを識別する識別情報であり、該識別情報に対応しているパラメータを有するインクを印刷媒体上に付着させる前記インク・ンエット印刷ヘッド(24)のタイプを識別する識別情報をインク・ジェット・プリンタに提供する方法であって、」と訂正し、
(2)「インク・ジェット・プリンタに取り付けるステップと、前記印刷ヘッド識別情報に対応するディジタル・コードであり、」を「インク・ジェット・プリンタに取り付けるステップと、インクを印刷ヘッドへ提供するステップと、前記印刷ヘッド識別情報に対応するディジタル・コードであり、」と訂正し、
(3)「導電短絡か、或は非導電ギャップかの何れか一方として」を、「1ビット・シフトレジスタと電圧源との間の電気的導通接続か、或は、前記1ビット・シフトレジスタと接地との間の電気的導通接続かの何れかで」と訂正し、
(4)「プログラムするステップと、前記プリンタによって生成された制御信号(29)を前記識別回路(32)へ送り出すステップと」を、「プログラムするステップと、前記プリンタと前記印刷ヘッドとを接続する複数のアドレス線(29)を提供するステップと、前記プリンタによって生成された制御信号を前記アドレス線(29)を利用して前記識別回路(32)へ送り出すステップであり、前記ディジタル・コードが前記アドレス線(29)の数に依存しないビット数を含むことから成るステップと」と訂正し、
(5)「前記制御信号(29)に応答して」を「前記制御信号に応答して」と訂正し、
(6)「該ディジタル・コードが、前記プリンタによって読み取られるステップと、を含むことを特徴とする方法。」を、「該ディジタル・コードが前記プリンタで読み取るステップと、前記印刷ヘッド識別情報に基づいて前記印刷ヘッドのタイプとインクとを識別するステップと、を含むことを特徴とする方法。」と訂正するものである。
訂正事項ｈ
　請求項16の「前記プリンタによって生成された制御信号(29)を前記識別回路(32)へ送り出すステップと」を、「前記プリンタと前記印刷ヘッドとを接続する複数のアドレス線(29)を提供するステップと、前記プリンタによって生成された制御信号を前記アドレス線(29)を利用して前記識別回路(32)へ送り出すステップであり、前記ディジタル.コードが前記アドレス線(29)の数に依存しないビット数を含むことから成るステップと」と訂正するものである。
訂正事項ｉ
　段落番号【0027】の「アドレス線接続部29」を、「アドレス線29の接続部」と訂正するものである。
　以上の訂正により、請求項１、２、４、９、１２、１６は以下のとおりに訂正するものである（直接的に訂正された請求項のみを列記する）。
【請求項1】
　インク・ジェット印刷ヘッド識別情報をインク・ジェット・プリンタに提供するインク・ジェット印刷ヘッド(24)を識別するインク・ジェット印刷ヘッド識別システムであって、
　クロック・パルス形態の少なくとも1つのクロック信号(72)を送り出すと共に、信号を受け取る制御装置・駆動回路と、
　前記制御装置・駆動回路から前記インク・ジェット印刷ヘッドへ前記少なくとも1つのクロック信号を含む信号を導通させる複数のアドレス線(29)と、
　前記インク・ジェット印刷ヘッド(24)内に配設され、印刷ヘッドのタイプを含む印刷ヘッド識別情報に対応するディジタル・コードを含む識別回路(32)であり、前記アドレス線(29)から前記少なくとも1つのクロック信号を受信すべく接続されると共に、該少なくとも1つのクロック信号に応じて、前記ディジタル・コードを順次送り出す識別回路(32)と、
　前記識別回路に接続された入力線であり、それによって該識別回路に制御信号を受け取らせ、該制御信号に応答して前記ディジタル・コードを順次送り出させるように為す入力線であり、前記ディジタル・コードが前記識別回路と接続されている前記アドレス線(29)の数に依存しないビット数を含むことから成る入力線と、
　前記識別回路(32)とプリンタとを相互接続させると共に、出力として前記印刷ヘッド識別情報を提供すべく、前記ディジタル・コードが送り出された際にこれを伝導させる、出力線(35)と、
　前記制御装置が、前記出力線からの前記ディジタル・コードのビットを受け取るように接続されると共に、前記ディジタル・コードを解釈し、前記印刷ヘッド識別情報から印刷ヘッドのタイプを決定するようにプログラムされていることと、
　を備えることを特徴とするインク・ジェット印刷ヘッド識別システム。
【請求項2】
　前記識別回路(32)が、複数のプログラム式1ビット・シフトレジスタ(50A乃至50D)を含み、前記制御信号に応答してこれらレジスタのプログラム済み内容を出力線へ順次シフトすることを特徴とする請求項1に記載のインク・ジェット印刷ヘッド識別システム。
【請求項4】
　前記制御信号が、前記少なくとも1つのクロック信号(72)と少なくとも1つのロード信号(70)とを含むことを特徴とする請求項2に記載のインク・ジェット印刷ヘッド識別システム。
【請求項9】
　インク・ジェット・プリンタに印刷ヘッド識別情報を提供するインク・ジェット印刷装置(20)であって、
　制御信号を生成するプリンタ制御回路(26)と、
　前記制御信号を伝導させる複数のアドレス線(29)と、
　インク・ジェット印刷ヘッド(24)と、
　前記印刷ヘッド(24)に含まれるインクと、
　前記インク・ジェット印刷ヘッド(24)に配設され、前記印刷ヘッド識別情報に対応す るディジタル・コードを含み、前記プリンタの前記制御回路(26)から前記制御信号を受け取るように前記アドレス線(29)に接続され、該制御信号に応答して前記ディジタル・コードを前記プリンタ制御回路(26)へ順次送り出す複数のシフトレジスタ(50A乃至50D)を含んで構成された識別回路(32)と、
　前記ディジタル・コードを前記プリンタ制御回路(26)に伝導させるために、前記識別回路(32)と前記プリンタ制御回路(26)とを相互接続する出力線(35)とを備え、
　前記ディジタル・コードが前記識別回路と接続されている前記アドレス線(29)の数に依存しないビット数を含み、
　前記プリンタ制御回路(26)が前記ディジタル・コードを解釈して、前記印刷ヘッド識別情報を判定することを特徴とする装置。
【請求項12】
　インク・ジェット印刷ヘッド(24)のタイプを識別する識別情報であり、該識別情報に対応しているパラメータを有するインクを印刷媒体上に付着させる前記インク・ジェット印刷ヘッド(24)のタイプを識別する識別情報をインク・ジェット・プリンタに提供する方法であって、
　インクを含むインク・ジェット印刷ヘッド(24)をインク・ジェット・プリンタに取り付けるステップと、
　インクを印刷ヘッドへ提供するステップと、
　前記印刷ヘッド識別情報に対応するディジタル・コードであり、該ディジタル・コードの各ビットが、1ビット・シフトレジスタと電圧源との間の電気的導通接続か、或は、前記1ビット・シフトレジスタと接地との間の電気的導通接続かの何れかでプログラムされており、前記印刷ヘッド(24)上に配置された識別回路(32)内に当該ディジタル・コードをプログラムするステップと、
　前記プリンタと前記印刷ヘッドとを接続する複数のアドレス線(29)を提供するステップと、
　前記プリンタによって生成された制御信号を前記アドレス線(29)を利用して前記識別回路(32)へ送り出すステップであり、前記ディジタル・コードが前記アドレス線(29)の数に依存しないビット数を含むことから成るステップと、
　前記制御信号に応答して、前記ディジタル・コードの1つ以上のビットを順次ディジタル・フォーマットで出力装置80へ送り出すステップと、
　前記ディジタル・コードが前記出力装置(80)によって送り出されるに応じて、該ディジタル・コードが前記プリンタで読み取るステップと、
　前記印刷ヘッド識別情報に基づいて前記印刷ヘッドのタイプとインクとを識別するステップと、を含むことを特徴とする方法。
【請求項16】
　インクを印刷媒体上に付着させるインク・ジェット印刷ヘッド(24)のタイプを識別する識別情報であり、前記インクのパラメータの内の一部が対応している識別情報をインク・ジェット・プリンタに提供する方法であって、
　インク・ジェット・プリンタにインク・ジェット印刷ヘッド(24)を装着するステップと、
　前記印刷ヘッド(24)にインクを提供するステップと、
　前記印刷ヘッド識別情報に対応するディジタル・コードであり、該ディジタル・コードの各ビットが、導電短絡か、或いは非導電ギャップかの何れか一方として複数のシフトレジスタ(50A乃至50D)内にプログラムされており、前記印刷ヘッド(24)上に配置された識別回路(32)内に当該ディジタル・コードをプログラムするステップと、
　前記プリンタと前記印刷ヘッドとを接続する複数のアドレス線(29)を提供するステップと、
　前記プリンタによって生成された制御信号を前記アドレス線(29)を利用して前記識別回路(32)へ送り出すステップであり、前記ディジタル・コードが前記アドレス線(29)の数に依存しないビット数を含むことから成るステップと、
　前記制御信号に応答して、前記ディジタル・コードの1つ以上のビットを順次ディジタル・フォーマットで出力装置(80)へ送り出すステップと、
　前記ディジタル・コードが前記出力装置(80)によって送り出されるに応じて、該ディジタル・コードが前記プリンタによって読み取られるステップと、
　前記印刷ヘッド識別情報に基づいて、前記印刷ヘッド(24)および前記インクのタイプを識別するステップとを含むことを特徴とする方法。
１−２．訂正の適否
(1)　訂正事項ｃは、請求項１において、「ディジタル・コ−ドが前記識別回路と接続されているアドレス線(29)の数に依存しないビット数を含むことから成る」事項を追加して訂正するものであるところ、この訂正は、願書に添付した明細書の段落【0038】の「ディジタル・コ−ドを有するビット数が、利用可能なアドレス線29の数に依存しない」との記載に基づいて、ディジタル・コ−ドの態様について限定するものであるから、請求項１におけるその余の訂正事項を併せ判断しても、特許請求の範囲の減縮を目的として、願書に添付した明細書又は図面に記載された事項の範囲内においてした訂正であり、且つ実質上特許請求の範囲を拡張し又は変更するものではない。
(2)訂正事項ｆは請求項９、訂正事項ｇの(4)は請求項１２、及び訂正事項ｈは請求項１６の各請求項において、それぞれ、前示の(1)と同様に、「ディジタル・コ−ドが前記識別回路と接続されているアドレス線(29)の数に依存しないビット数を含むことから成る」事項を追加して訂正するものであるから、これらの訂正は、前示の(1)における請求項１についての訂正事項ｃについての認定判断と同趣旨に帰するものであり（且つ、当該請求項１２，１６におけるその余の訂正事項を併せ判断しても）、特許請求の範囲の減縮を目的として、願書に添付した明細書又は図面に記載された事項の範囲内においてした訂正であり、且つ実質上特許請求の範囲を拡張し又は変更するものではない。
(3)また、訂正事項ａ、ｂ、ｄ、ｅ、ｇの(1)〜ｇの(3)、及びｇの(5)〜ｇの(6)は、誤記の訂正、明りょうでない記載の釈明、特許請求の範囲の減縮を目的として、願書に添付した明細書又は図面に記載された事項の範囲内においてした訂正であり、且つ実質上特許請求の範囲を拡張し又は変更するものではない。
(4)更に、訂正事項ｉは、誤記の訂正を目的とする訂正であって、願書に添付した明細書又は図面に記載された事項の範囲内においてした訂正であり、且つ実質上特許請求の範囲を拡張し又は変更するものではない。
(5)まとめ
　そうすると、訂正事項ａ〜ｉを含む上記訂正は、特許法第120条の4第2項ただし書き第1号乃至3号の規定、同法第120条の4第3項で準用する第126条第2項、第3項の規定に適合するので、当該訂正を認める。
２．異議申立てについての判断
２−１．　本件の請求項１〜６、請求項８〜１６に係る発明
　前示の１．のとおり、訂正は認められるから、本件の請求項１〜６に係る発明（以下、「本件発明１〜６」のようにいう。）、請求項８〜１６に係る発明（以下、「本件発明８〜１６」のようにいう。）（なお、本件発明１〜１６を総称して「本件発明」という。）は、上述した「１−１訂正の内容」において掲載したとおりである。
２−２．取消理由通知で引用された刊行物に記載された発明
　異議申立人の特許異議申立書及び平成１３年１１月５日付けの回答書において、特開平6−91877号公報（甲第１号証、以下、「刊行物１」という。）、及び特開平3−227641号公報（甲第２号証、以下、「刊行物２」という。）について摘録された発明が記載されている。
　すなわち、特許異議申立書第11頁第10行の「取付けられている」〜第31行の「られている」、第12頁第1行の「１つのヘッド駆動」〜第６行の「インクジェット記録装置」、第13頁第７行の「図５には、」〜第15行の「ンクの色・・・」、第13頁第25行の「複数の」〜第28行の「メモリされていること」、第14頁の第4行の「プリンタ４０から出力」〜第６行の「生成されること」、第14頁第11行の「プリンタ４０」〜第14行の「発生する・・・」、第14頁第24行の「識別データが」〜第25行の「制御装置４２に供給されること」、第14頁第32行の「インクジェット記」〜第34行の「駆動すること」、第15頁第15行の「指数設定部１４５」〜第18行の「セットすること」、第15頁第23行の「パラレル−シリアル変換器１１２」〜第15頁第25行の「転送すること」、第15頁末行の「記録ヘッドユニット２０５」〜第16頁第2行の「発生すること」、及び第16頁第11行の「接続点４９」〜第16頁第15行の「保持される。」事項が記載されている。
２−３．対比・判断
　本件発明１〜６、８〜１６と刊行物１，２の発明を比較すると、刊行物１，２の発明は、本件発明１〜６、８〜１６が備えている「前記ディジタル・コ−ドが前記識別回路と接続されている前記アドレス線(29)の数に依存しないビット数を含」むことから成るという事項（以下、これを「事項ｒ」という。）を欠載しており、また刊行物１，２には事項ｒを示唆する記載ないしは事項ｒに想到することに基因となる事項は認められず、この認定判断を遮断する事実関係を開示する証拠は見出せない。
　なお、異議申立人が本件発明の一部の事項について周知であるとして提示した参考文献等（特開平6−166184号公報、特許異議申立書第15頁第6行、特開昭63−170039号公報、回答書第6頁第10行参照。）についても同様である。
　そして、本件発明は、前示の事項ｒという特有の構成を備えることにより、「既存の印刷ヘッド電子機器とプリンタ電子機器とを相互接続するアドレス線の数によって制限されることがなく、効率的で廉価な印刷ヘッドシステムを提供する」（訂正明細書等の段落【0009】）という、刊行物１，２の発明が達成し得ない目的を達成することができるものである。
　そうとすると、本件発明１〜６、８〜１６における前示の事項ｒ以外の事項と刊行物１，２の発明との対比判断を示すまでもなく、本件発明１〜６、８〜１６は、当業者が前示の刊行物１，２に記載された発明に基いて容易に発明をすることができたものではない。
３．むすび
　以上のとおりであるから、訂正請求については、これを認め、特許異議申立てについては、特許異議申立ての理由及び証拠によっては、本件発明１〜６、本件発明８〜１６についての特許を取り消すことはできない。
　また、他に同特許を取り消すべき理由を発見しない。
　よって、結論のとおり決定する。
【異議決定日】
平成１５年５月２７日（２００３．５．２７）
【訂正の要旨】
　Ａ．請求項１の１３及び１４行目、請求項２の２行目、請求項４の１行目、請求項１２の１１及び１３行目、請求項１２の１３及び１５行目のそれぞれにおける「制御信号（２９）」を、単に「制御信号」と訂正する。
　Ｂ．請求項１の７及び１０行目のそれぞれにおける「アドレス線」を、「アドレス線（２９）」と訂正する。
　Ｃ．請求項１の１３〜１５行目に記載の「前記識別回路に接続された入力線であり、それによって該識別回路に制御信号（２９）を受け取らせ、該制御信号（２９）に応答して前記ディジタル・コードを順次送り出させるように為す入力線と」とあるのを、「前記識別回路に接続された入力線であり、それによって該識別回路に制御信号を受け取らせ、該制御信号に応答して前記ディジタル・コードを順次送り出させるように為す入力線であり、前記ディジタル・コードが前記識別回路と接続されている前記アドレス線（２９）の数に依存しないビット数を含むことから成る入力線と」と訂正する。
　Ｄ．請求項９の１５行目と１６行目の間に、「前記ディジタル・コードが前記識別回路と接続されている前記アドレス線（２９）の数に依存しないビット数を含み、」を追加記載すべく訂正する。
　Ｅ．請求項１２において、（ａ）第１行〜第４行目に記載の「インクを印刷媒体上に付着させるインク・ジェット印刷ヘッド（２４）のタイプを識別する識別情報であり、前記インクのパラメータの内の一部が対応している識別情報をインク・ジェット・プリンタに提供する方法であって、」とあるのを、「インク・ジェット印刷ヘッド（２４）のタイプを識別する識別情報であり、該識別情報に対応しているパラメータを有するインクを印刷媒体上に付着させる前記インク・ジェット印刷ヘッド（２４）のタイプを識別する識別情報」と訂正し、（ｂ）第６行目と第７行目との間に、「インクを印刷ヘッドへ提供するステップと、」を追加記載して訂正し、（ｃ）第８行目及び第９行目に記載の「導電短絡か、或は非導電ギャップかの何れか一方として」とあるのを、「１ビット・シフトレジスタと電圧源との間の電気的導通接続か、或は、前記１ビット・シフトレジスタと接地との間の電気的導通接続かの何れかで」と訂正し、（ｄ）第１１及び１２行目に記載の「前記プリンタによって生成された制御信号（２９）を前記識別回路（３２）へ送り出すステップと」とあるのを、「前記プリンタと前記印刷ヘッドとを接続する複数のアドレス線（２９）を提供するステップと」及び「前記プリンタによって生成された制御信号を前記アドレス線（２９）を利用して前記識別回路（３２）へ送り出すステップであり、前記ディジタル・コードが前記アドレス線（２９）の数に依存しないビット数を含むことから成るステップと」と訂正し、（ｅ）第１６行目に記載の「前記プリンタによって読み取られるステップ」とあるのを、「前記プリンタで読み取るステップ」と訂正し、（ｆ）第１６行目に記載の「前記プリンタによって読み取られるステップと、」以降に、「前記印刷ヘッド識別情報に基づいて前記印刷ヘッドのタイプとインクとを識別するステップ」を追加記載して訂正する。
　Ｆ．請求項１６の第
１３〜１４行目
　Ｇ．段落番号【００２７】の第２行目に記載の「アドレス線接続部２９」とあるのを、「アドレス線２９の接続部」と訂正する。
（５４）【発明の名称】
順次出力動的シフトレジスタを備えるインク・ジェット印刷ヘッド識別回路
（５７）【特許請求の範囲】
　【請求項１】　インク・ジェット印刷ヘッド識別情報をインク・ジェット・プリンタに提供するインク・ジェット印刷ヘッド（２４）を識別するインク・ジェット印刷ヘッド識別システムであって、
　クロック・パルス形態の少なくとも１つのクロック信号（７２）を送り出すと共に、信号を受け取る制御装置・駆動回路と、
　前記制御装置・駆動回路から前記インク・ジェット印刷ヘッドへ前記少なくとも１つのクロック信号を含む信号を導通させる複数のアドレス線
（２９）
　前記インク・ジェット印刷ヘッド（２４）内に配設され、印刷ヘッドのタイプを含む印刷ヘッド識別情報に対応するディジタル・コードを含む識別回路（３２）であり、前記アドレス線
（２９）
　前記識別回路に接続された入力線であり、それによって該識別回路に
制御信号
該制御信号
入力線であり、前記ディジタル・コードが前記識別回路と接続されている前記アドレス線（２９）の数に依存しないビット数を含むことから成る
　前記識別回路（３２）とプリンタとを相互接続させると共に、出力として前記印刷ヘッド識別情報を提供すべく、前記ディジタル・コードが送り出された際にこれを伝導させる、出力線（３５）と、
　前記制御装置が、前記出力線からの前記ディジタル・コードのビットを受け取るように接続されると共に、前記ディジタル・コードを解釈し、前記印刷ヘッド識別情報から印刷ヘッドのタイプを決定するようにプログラムされていることと、を備えることを特徴とするインク・ジェット印刷ヘッド識別システム。
　【請求項２】　前記識別回路（３２）が、複数のプログラム式１ビット・シフトレジスタ（５０Ａ乃至５０Ｄ）を含み、
前記制御信号
　【請求項３】　前記識別回路（３２）が、前記ディジタル・コードのビットを、順次、前記出力線上で保持し且つ送り出す出力装置（８０）を含むことを特徴とする請求項２に記載のインク・ジェット印刷ヘッド識別システム。
　【請求項４】　
前記制御信号
　【請求項５】　前記出力線（３５）が、印刷ヘッド温度検知装置（３４）の出力であることを特徴とする請求項１に記載のインク・ジェット印刷ヘッド識別システム。
　【請求項６】　前記インク・ジェット印刷ヘッド（２４）が、前記印刷ヘッド識別情報に対応するパラメータを有するインクを印刷媒体上に付着させるインク・ジェット印刷ヘッド（２４）であることを特徴とする請求項１に記載のインク・ジェット印刷ヘッド識別システム。
　【請求項７】　前記出力装置（８０）が、
　ソースと、ドレインと、前記ディジタル・コードを順次受け取り送り出すように接続されたゲートとを有する出力トランジスタ（８４）と、
　前記出力トランジスタ（８４）の前記ドレイン上で信号レベルをプルアップし、前記ディジタル・コードが、前記出力トランジスタ（８４）によって受け取られたときの前記ドレインでの信号レベルに反映されるように為すプルアップ装置と、
　前記ディジタル・コードを受け取った後に前記出力トランジスタ（８４）の前記ゲートの寄生キャパシタンスを放電させる放電装置（８２）と、を備えることを特徴とする請求項６に記載のインク・ジェット印刷ヘッド識別システム。
　【請求項８】　前記印刷ヘッド識別情報が、インク・カラーを含むインク・ジェット印刷ヘッド（２４）のパラメータを識別することを特徴とする請求項１に記載のインク・ジェット印刷ヘッド識別システム。
　【請求項９】　インク・ジェット・プリンタに印刷ヘッド識別情報を提供するインク・ジェット印刷装置（２０）であって、
　制御信号を生成するプリンタ制御回路（２６）と、
　前記制御信号を伝導させる複数のアドレス線（２９）と、
　インク・ジェット印刷ヘッド（２４）と、
　前記印刷ヘッド（２４）に含まれるインクと、
　前記インク・ジェット印刷ヘッド（２４）に配設され、前記印刷ヘッド識別情報に対応するディジタル・コードを含み、前記プリンタの前記制御回路（２６）から前記制御信号を受け取るように前記アドレス線（２９）に接続され、該制御信号に応答して前記ディジタル・コードを前記プリンタ制御回路（２６）へ順次送り出す複数のシフトレジスタ（５０Ａ乃至５０Ｄ）を含んで構成された識別回路（３２）と、
　前記ディジタル・コードを前記プリンタ制御回路（２６）に伝導させるために、前記識別回路（３２）と前記プリンタ制御回路（２６）とを相互接続する出力線（３５）とを備え、
　
前記ディジタル・コードが前記識別回路と接続されている前記アドレス線（２９）の数に依存しないビット数を含み、
　前記プリンタ制御回路（２６）が前記ディジタル・コードを解釈して、前記印刷ヘッド識別情報を判定することを特徴とする装置。
　【請求項１０】　前記印刷ヘッド識別情報が、インク・パラメータを含む前記インク・ジェット印刷ヘッド（２４）のパラメータを識別することを特徴とする請求項９に記載の装置。
　【請求項１１】　前記インク・パラメータがカラーに関係していることを特徴とする請求項１０に記載の装置。
　【請求項１２】　
インク・ジェット印刷ヘッド（２４）のタイプを識別する識別情報であり、該識別情報に対応しているパラメータを有するインクに印刷媒体上に付着させるインク・ジェット印刷ヘッド（２４）のタイプを識別する識別情報
　インクを含むインク・ジェット印刷ヘッド（２４）をインク・ジェット・プリンタに取り付けるステップと、
　
インクを印刷ヘッドへ提供するステップと、
　前記印刷ヘッド識別情報に対応するディジタル・コードであり、該ディジタル・コードの各ビットが、
１ビット・シフトレジスタと電圧源との間の電気的導電接続か、或は、前記１ビット・シフトレジスタと接地との間の電気的導通接続かの何れかで
　
前記プリンタと前記印刷ヘッドとを接続する複数のアドレス線（２９）を提供するステップと、
　前記プリンタによって生成された
制御信号
前記アドレス線（２９）を利用して
ステップであり、前記ディジタル・コードが前記アドレス線（２９）の数に依存しないビット数を含むことから成る
　
前記制御信号
　前記ディジタル・コードが前記出力装置（８０）によって送り出されるに応じて、該ディジタル・コードが
前記プリンタで読み取る
　
前記印刷ヘッド識別情報に基づいて前記印刷ヘッドのタイプとインクとを識別するステップと、
　【請求項１３】　前記ディジタル・コードが前記出力装置（８０）へ送り出された後に、該出力装置（８０）をリセットするステップを更に含むことを特徴とする請求項１２に記載の方法。
　【請求項１４】　インク・パラメータを含む前記印刷ヘッドのパラメータを識別すべく、前記プリンタによって前記ディジタル・コードが解釈されるステップを更に含むことを特徴とする請求項１２に記載の方法。
　【請求項１５】　前記インクのカラーを識別すべく、前記プリンタによって前記ディジタル・コードが解釈されるステップを更に含むことを特徴とする請求項１２に記載の方法。
　【請求項１６】　インクを印刷媒体上に付着させるインク・ジェット印刷へッド（２４）のタイプを識別する識別情報であり、前記インクのパラメータの内の一部が対応している識別情報をインク・ジェット・プリンタに提供する方法であって、
　インク・ジェット・プリンタにインク・ジェット印刷ヘッド（２４）を装着するステップと、
　前記印刷ヘッド（２４）にインクを提供するステップと、
　前記印刷ヘッド識別情報に対応するディジタル・コードであり、該ディジタル・コードの各ビットが、導電短絡か、或いは非導電ギャップかの何れか一方として複数のシフトレジスタ（５０Ａ乃至５０Ｄ）内にプログラムされており、前記印刷ヘッド（２４）上に配置された識別回路（３２）内に当該ディジタル・コードをプログラムするステップと、
　
前記プリンタと前記印刷ヘッドとを接続する複数のアドレス線（２９）を提供するステップと、
　前記プリンタによって生成された
制御信号
前記アドレス線（２９）を利用して
ステップであり、前記ディジタル・コードが前記アドレス線（２９）の数に依存しないビット数を含むことから成る
　
前記制御信号
　前記ディジタル・コードが前記出力装置（８０）によって送り出されるに応じて、該ディジタル・コードが前記プリンタによって読み取られるステップと、
　前記印刷ヘッド識別情報に基づいて、前記印刷ヘッド（２４）および前記インクのタイプを識別するステップとを含むことを特徴とする方法。
【発明の詳細な説明】
　【０００１】
　【発明の属する技術分野】
　本発明は、インク・ジェット印刷ヘッドを識別する回路および方法に関する。詳細には、本発明は、印刷ヘッド識別コードをインク・ジェット・プリンタ制御装置へ順次送り出すシフトレジスタを用いたインク・ジェット印刷ヘッド識別回路に関する。
　【０００２】
　【従来の技術】
　インク・ジェット・プリンタは、インクを印刷表面上に吐出する一連のノズル、またはオリフィス・プレート内に位置決めされたオリフィスからなる印刷ヘッドを使用する。インクは、連続ジェット、圧電ジェット、サーマル／バブル・ジェットを含め様々な手段によって吐出することができる。過去２０年間にわたっていくつかの異なるインク・ジェット技法が開発されてきているが、現在最も一般的なインク・ジェット技法はバブル・ジェットである。バブル・ジェットでは、チャンバ内のインクが局所的に過熱され、膨張する気泡が形成され、この気泡によってインク滴がオリフィスを通して印刷表面上に押し出される。圧電プリンタは、インクがオリフィスを通して吐出されるため、同様に機能する。しかし、チャンバ中のインクを沸騰させるのではなく、インクは基本的に、圧電セラミック変換器によって生成されるたわみ／膨張の結果としてチャンバから押し出される。セラミック変換器は、電界にさらされると物理的寸法が変化し、そのため、インク・チャンバ内で圧力波を生成し、ある量のインクをチャンバ・オリフィスを通して吐出する。圧電法とバブル・ジェット法は共に、「ドロップ・オン・デマンド」技法または「インパルス」技法とみなされ、すなわち、インク滴は、必要なときにしか印刷ヘッドから吐出されない。
　【０００３】
　各インク・ジェット技法タイプは、それ自体の固有のタイプの印刷ヘッドを必要とし、印刷ヘッドはさらに、黒インクしか含まないかどうか、カラー印刷ができるかどうかなどのパラメータに基づいてそれぞれ異なる。一般に、異なるタイプの印刷ヘッドを相互に交換することができる。ただし、印刷ヘッド間の物理的な違いのために、大部分のプリンタは黒インクとカラーの両方に適応できるわけではなく、すなわちカラー印刷向けに設計された印刷ヘッドは通常、様々なインク・カラーに適応するためにより大きくなっている。他の印刷ヘッド・パラメータには、構成、解像度、インク・ジェット・ノズルの数、ノズル間の間隔が含まれる。印刷ヘッドが相互に交換できるので、適切にフォーマットされた印刷コマンドを印刷ヘッド電子機器に提供すべくプリンタ制御システム内のアルゴリズムが再構成可能となるように、プリンタ電子機器は、様々な印刷ヘッド・パラメータに関係する情報と共に、どのような特定タイプの印刷ヘッドが据え付けられているのかを知らなければならない。
　【０００４】
　したがって、据え付けられている特定の印刷ヘッドの特性に関係する情報をプリンタ電子機器に提供することが望ましい。これは、印刷ヘッド電子機器内に識別情報をディジタル・コード化し、プリンタ電子機器が必要に応じてその情報を検索できるようにすることによって行うことができる。
　【０００５】
　従来技術では、印刷ヘッド識別情報をプリンタ電子機器に提供する幾つかの試みがなされている。Ｂｕｓｋｉｒｋ等の米国特許第４，８７２，０２７号では、印刷ヘッドのノズルを加熱する抵抗器のネットワーク／アレイ上に余分な電気接点パッドを提供することを開示している。このような接点は、各々が特定の印刷ヘッドを画定する幾つかの固有の構成のうちの１つで個々のノズルを加熱するように、抵抗器ネットワーク内で選択的に電気接続される。電気パッドのこのような固有の構成によって与えられるコードは、プリンタによって検出することができ、それによって、据え付けられているヘッドのタイプを判定することができる。これは、個々の電気パッドを選択的に抵抗器回路または回路トレースに接続する（あるいは接続しない）ことによって行われる。抵抗器線を個別にハイ電圧レベルまたはロー電圧レベルに切り替え、余分の接点パッドに関連付けられた線上の電圧レベル・シフトを検出することによって、接続（または接続されていないこと）を検出することができる。
　【０００６】
　印刷ヘッド識別情報をプリンタに提供しようとする従来技術の他の手法は、印刷ヘッド内に配設された識別回路を開示している。Ｋｉｋｕｃｈｉ等の米国特許第４，９３０，９１５号は、印刷ヘッド内に配設された印刷ヘッド識別手段を開示している。一実施例では、プリンタ電子機器が、該プリンタ電子機器と識別手段とを相互に接続する信号線上で「ハイ」状態値を読み取ったときに２４ピン印刷ヘッドが識別される。９ピン印刷ヘッドは、「ロー」状態信号によって識別される。このＫｉｋｕｃｈｉ発明の他の実施例は、並列直列変換器が所定の識別信号を生成するものである。
　【０００７】
　Ｂａｒｂｅｈｅｎｎ等の米国特許第５，３６３，１３４号では、インク・ジェット・プリンタの印刷ヘッドで用いられる集積回路を開示している。この集積回路は、インク容器を加熱し、あるパターンのインク・ジェットを生成するように行及び列として構成された複数の抵抗器セルを有するアレイ回路を含む。所望のプリント・パターンに従って抵抗器セルを選択し励起するように対応する数の行線および列線がアレイ回路に接続されている。識別回路は、アレイ回路と同じ基板に集積されている。この識別回路は、各行線に対応し且つ接続された複数のプログラム可能な経路によってプログラム可能である。このようなプログラム可能な経路はそれぞれ、直列接続されたプログラム可能なヒューズと能動デバイスとを含む。プログラム可能な経路の両端部は共通のノードで互いに結合され、このノードは、行線の順次ポーリングに応答して単一の順次出力信号を提供するように出力回路に接続されている。
　【０００８】
　Ｂａｒｂｅｈｅｎｎにおいてプリンタ電子機器に提供できる識別情報のビット数は、使用可能な行線の数に限られる。たとえば、アレイ回路とプリンタ電子機器を相互に接続する行線が合計で７本ある場合、プログラム可能な各経路が固有の１本の行線に対応し且つ接続されるので、Ｂａｒｂｅｈｅｎｎの識別回路は７ビットの識別情報しか記憶できない。Ｂａｒｂｅｈｅｎｎでは、７ビットよりも多くの識別情報を含む識別回路を提供するには、使用可能な行線またはアドレス線の数を増加させる必要がある。したがって、既存の印刷ヘッド電子機器とプリンタ電子機器とを相互接続するアドレス線の数によって制限されることがなく、効率的で廉価な印刷ヘッド識別回路が依然として望まれている。
　【０００９】
　【発明が解決しようとする課題】
　よって、本発明の目的は、インク・ジェット印刷ヘッドを有するインク・ジェット・プリンタにインク・ジェット印刷ヘッド識別情報を提供する識別システムを提供することである。そして、好ましくは、既存の印刷ヘッド電子機器とプリンタ電子機器とを相互接続するアドレス線の数によって制限されることがなく、効率的で廉価な印刷ヘッド識別システムを提供することである。
　【００１０】
　【課題を解決するための手段】
　本発明は、インク・ジェット印刷ヘッドを有するインク・ジェット・プリンタにインク・ジェット印刷ヘッド識別情報を提供する識別システムを開示するものである。このシステムは、少なくとも１つクロック信号を含む信号をクロック・パルスの形で送り出す制御装置・駆動回路を含む。これら制御装置・駆動回路は信号の受け取りをも行う。複数のアドレス線が提供されており、少なくとも１つのクロック信号を含む信号を制御装置・駆動回路からインク・ジェット印刷ヘッドへ送り出す。インク・ジェット印刷ヘッドに配設される識別回路は、印刷ヘッド識別情報に対応するディジタル・コードを含む。この識別回路は、アドレス線から前記少なくとも１つのクロック信号を受け取るように接続され、その少なくとも１つのそのクロック信号に応答してディジタル・コードを順次送り出す。ディジタル・コードの各種ビットを制御装置へ送り出すために、出力線が識別回路に接続されている。制御装置は、出力線からディジタル・コードのビットを受け取るように接続され、そのディジタル・コードを解釈して、印刷ヘッド識別情報を判定するようにプログラムされている。
　【００１１】
　識別システムはさらに、印刷ヘッドの温度に対応する情報を送り出すために前記出力線に接続された温度検知回路を含み得る。
　【００１２】
　識別回路の一例は、所定の数のシフトレジスタを含む。これらのシフトレジスタの各々は、前記少なくとも１つのクロック信号に応答して、論理１か或いは論理０かの何れか一方の出力を生成するように前記ディジタル・コードによってプログラムされている。
　【００１３】
　制御装置・駆動回路は、アドレス線上に少なくとも１つのロード信号を送り出すように構成され得る。そのように構成された際、識別回路は所定の数のシフトレジスタを含み、各シフトレジスタは、少なくとも１つのロード信号および少なくとも１つのクロック信号に応答して、論理１か或いは論理０かの何れか一方の出力を生成するようにディジタル・コードによってプログラムされている。制御装置は、そのロード信号を送り出すようにプログラムされ、該ロード信号を送り出した後に、出力線上の次の所定数のビットをディジタル・コードとして解釈するようにプログラムされている。
　【００１４】
　制御装置・駆動回路は、少なくとも１つのロード信号と、第１および第２のクロック信号とをアドレス線上に送り出すように構成することもできる。そうした場合、識別回路は、ロード回路と伝送回路とを含む。ロード回路は、アドレス線からロード信号を受け取るように接続され、該ロード信号に応答してディジタル・コードをロードされたディジタル・コードとして伝送回路にロードする。伝送回路は、ロードされたディジタル・コードと、第１および第２のクロック信号とに応答して、ディジタル・コードを出力線上に順次送り出す。制御装置は、ロード信号を送り出すようにプログラムされており、該ロード信号の送り出しの後に、出力線上の次の所定数のビットをディジタル・コードとして解釈するようにプログラムされている。
　【００１５】
　本発明の他の実施例では、印刷ヘッド電子機器と、複数のアドレス線と、出力付きの印刷ヘッド温度検知回路とを有するインク・ジェット印刷ヘッド・チップにインク・ジェット印刷ヘッド識別回路が集積されている。識別回路は、インク・ジェット・プリンタに印刷ヘッド識別情報を提供し、出力装置と複数のプログラム式１ビット・シフトレジスタとを含む。シフトレジスタは、アドレス線および出力装置と相互接続されており、アドレス線上で受け取った信号に応答して、当該レジスタのプログラム済み内容を出力装置に順次シフトする。
　【００１６】
　信号にはたとえば、少なくとも１つのクロック信号とロード信号とを含めることができる。この例では、レジスタは相互に接続されて、こうした少なくとも１つのクロック信号およびロード信号に応答してプログラム済み内容を出力装置に順次シフトする。
　【００１７】
　出力装置の一例として、ソース、ドレイン、ゲートを有する出力トランジスタがある。この出力トランジスタのゲートは、シフトレジスタの順次シフトされたプログラム済み内容を受け取る。プルアップ装置は、出力トランジスタのドレイン上で信号レベルをプルアップする。シフトレジスタのプログラム済み内容は出力トランジスタによって受け取られる。放電装置は、プログラム済み内容が受け取られた後に出力トランジスタのゲートの寄生キャパシタンスを放電する。
　【００１８】
　本発明の他の実施例では、インク・ジェット印刷ヘッド集積回路がインク・ジェット・プリンタ電子機器に印刷ヘッド識別情報を提供している。この集積回路は、印刷ヘッドアレイ回路を含む。プリンタ電子機器から印刷ヘッド・アレイ回路へ信号を送り出す複数のアドレス線が接続されている。アドレス線は、第１および第２のクロック信号を送る線と、ロード信号を送る線とを含む。出力を有する温度検知回路がプリンタ電子機器に接続されている。第１および第２のクロック信号と、クロック信号とを受け取るようにプログラム式識別回路が接続されている。また、識別回路は、第１および第２のクロック信号とロード信号とに応答して、印刷ヘッド識別情報を順次ディジタル・フォーマットで温度検知回路出力に提供してもいる。
　【００１９】
　この実施例に関する識別回路の一例は、ロード回路および伝送回路を含む。ロード回路は、アドレス線からロード信号を受け取るように接続され、該ロード信号に応答して伝送回路に識別情報をロードする。伝送回路は、そのロードされた識別情報と、第１および第２のクロック信号とに応答してそのロードされた識別情報を温度検知回路出力へ順次送り出す。
　【００２０】
　また、本発明は、プリンタ電子機器とインク・ジェット印刷ヘッドとを有するインク・ジェット・プリンタにインク・ジェット印刷ヘッド識別情報をも提供する方法も開示する。印刷ヘッドは、印刷ヘッド・アレイ電子機器と、プリンタ電子機器に接続された出力を有する温度検知回路と、識別回路と、温度検知回路出力に接続された出力装置と、識別回路とプリンタ電子機器とを相互接続する複数のアドレス線とを有する集積回路を含む。この方法は、１つ以上のビットを有するディジタル・コードを識別回路内にプログラムするステップを含む。このコードの各ビットは、導電短絡か、或いは非導電ギャップかの何れか一方としてプログラムされ、この場合、ディジタル・コードは印刷ヘッド識別情報に対応する。プリンタ電子機器によって生成される信号は、クロック・パルスの形の少なくとも１つのクロック信号を含み、アドレス線上で識別回路へ送り出される。プリンタ電子機器によって生成された信号に応答して、ディジタル・コードの１つ以上のビットが順次ディジタル形で出力装置へ送り出される。ディジタル・コードは、出力装置へ送り出された際、プリンタ電子機器によって読み取られる。
　【００２１】
　この方法は、プリンタ電子機器が、ギャップか或いは短絡かの何れかとしての各ビットの状態に部分的に基づいて、送り出されてきたディジタル・コードから識別情報を判定するステップを更に含み得る。
　【００２２】
　またこの方法は、ロード信号をアドレス線を介してプリンタ電子機器信号として識別回路へ送り出すステップを含むこともできる。
　【００２３】
　この方法における他の追加ステップとして、ディジタル・コードを出力装置へ送り出した後に、出力装置がリセットされ得ることである。
　【００２４】
　【発明の実施の形態】
　図１には、発明の好適実施例に従った、インク・ジェット・プリンタ電子機器２２とインク・ジェット印刷ヘッド電子機器２４とを含むインク・ジェット印刷ヘッド識別システム２０のブロック図が示されている。通常、バブル・ジェット印刷ヘッドは、インクを選択的に沸騰させ、印刷ヘッド上のオリフィス・プレート（図示せず）のオリフィスを通して吐出する抵抗器アレイ或いは印刷ヘッド・アレイ３０を備える。アレイ３０内の抵抗器は、プリンタ電子機器２２から受け取るアドレス線２９上の適切な信号を介して選択的に励起される。プリンタ電子機器２２内にあるマイクロプロセッサ制御装置２６は、通常、ＴＴＬレベル出力を提供するＡＳＩＣ制御装置であり、ヘッド駆動回路２８へ印刷データ・コマンドを送る。好ましい実施形態では、駆動回路２８は、ＴＥＸＡＳ　ＩＮＳＴＲＵＭＥＮＴＳ　７５３７３、１００ミリアンプ、プッシュ−プル・ドライバである。
　【００２５】
　駆動回路２８は、制御装置２６から受け取った印刷データ・コマンドを適当なフォーマットのアナログ・パルスに変換しており、該アナログ・パルスは、多重化解除され、順次、アドレス線２９を介して印刷ヘッド電子機器２４に提供される。このアナログ・パルスは、印刷ヘッド内のインクが沸騰して気泡を形成することによって、オリフィスからインク吐出が行われるようにするために、印刷ヘッドアレイ３０内の抵抗器を加熱するのに十分な強度を有する。使用可能なアドレス線２９の数は、使用される特定のプリンタに応じて異なる。
　【００２６】
　インク・ジェット・プリンタにおいては、それぞれが異なるフォーマットのアナログ・パルスを必要とする異なる形式及びタイプのインク・ジェット印刷ヘッドが相互に交換できるので、プリンタ電子機器２２にとって、そのプリンタに据え付けられている印刷ヘッドに関係する情報を所持することが重要である。印刷ヘッド・パラメータ情報は、据え付けられている特定の印刷ヘッドに適切なアナログ・パルスを生成するように印刷制御アルゴリズムをプリンタ電子機器２２に再構成させることができるので、このような情報はプリンタ電子機器２２に有用である。本発明は、製造時に印刷ヘッド電子機器２４内に集積される識別（ＩＤ）回路３２に情報をディジタル・コード化することによって、プリンタ電子機器２２に印刷ヘッド識別情報を提供するものである。
　【００２７】
　通常、印刷ヘッド電子機器２４は、単一の集積チップとして製造される。チップには、印刷ヘッド抵抗器アレイ３０と対応する
アドレス線２９の接続部
　【００２８】
　入出力要件を低減させるために、本発明のＩＤ回路３２は、既存のアドレス線２９の内の全てではなく、幾本かをプリンタ電子機器２２からの入力を受け取るために使用すると共に、コード化印刷ヘッド識別情報をプリンタ電子機器２２へ順次送るべく既存の温度検知出力３５を使用するものである。入力を受け取るためにＩＤ回路３２によって最大で３本のアドレス線が使用され、ＩＤ回路３２内の情報のコード化ビットの数は、使用されるアドレス線２９の数には依存しない。プリンタ電子機器２２が、プリンタがアイドル状態のときにしか温度検知を読み取らないので、通常の動作時には温度検知出力３５に対する干渉は最小限となるか、或いは全くない。
　【００２９】
　一好適実施例において、印刷ヘッド識別情報は、図２に示したような１つまたは複数のプログラム式１ビット動的シフトレジスタ５０によってＩＤ回路３２内にディジタル・コード化される。シフトレジスタ５０はたとえば、１本のアドレス線２９上で受け取ったロード信号によってロード・トランジスタ５２のゲートが活動状態になったときにロード・トランジスタ５２のソースをグラウンド（接地）５１に接続して論理「０」を生成するか、或いは、ロード・トランジスタ５２のゲートが活動状態であるときにロード・トランジスタ５２のソースを電圧源５３に接続して論理「１」を生成するかの何れかによって、製造時にマスクプログラムされている。ロード信号７０によってロード・トランジスタ５２のゲートが活動状態になると、プログラム済み論理または電圧レベルが入力トランジスタ５４のゲートに渡される。トランジスタ５２がオフになった後、渡された電圧レベルは、入力トランジスタ５４の寄生ゲート・キャパシタンスに蓄積されたままになる。漏れ電流のために入力トランジスタ５４のゲートは最終的に放電するので、電圧は、動的にゲート上に蓄積されるとみなされる。
　【００３０】
　入力７８にプログラム済み電圧レベルがロードされた場合、次に、入力を出力７６へシフトさせることができる。これは、プリンタ電子機器２２が送り、シフトレジスタ５０が受け取る順次クロック信号によって行われる。線７２上でクロック１入力が受け取られ、線７４上でクロック２入力が受け取られ、各クロック入力７２、７４は、別々のアドレス線２９を介してプリンタ電子機器２２から受け取られる。クロック１入力７２上の電圧パルスは、論理逆数を入力トランジスタ５４のゲートから出力トランジスタ６０のゲートに渡す。クロック１入力７２が活動状態になると、ロード・トランジスタ５６がパス・トランジスタ５８と同様にオンになる。シフトレジスタ５０の入力７８が論理「１」である場合、入力トランジスタ５４がオンになり、出力トランジスタ６０のゲートが放電する。シフトレジスタ５０の入力７８が論理「０」である場合、入力トランジスタ５４はオフのままになり、出力トランジスタ６０のゲートが、ロード・トランジスタ５６およびパス・トランジスタ５８を介して充電される。クロック１入力７２上の電圧パルスが非活動状態になると、パス・トランジスタ５８がオフになり、電圧レベル（すなわち、入力トランジスタ５４のゲート上に寄生蓄積された電圧レベルの論理逆数）が出力トランジスタ６０のゲート上に動的に蓄積される。
　【００３１】
　クロック２入力７４上の電圧パルスは、論理逆数を出力トランジスタ６０のゲートからシフトレジスタの出力７６に渡す。クロック２パルスが活動状態になると、ロード・トランジスタ６２がパス・トランジスタ６４と同様にオンになる。出力トランジスタ６０上のゲート電圧の論理逆数は、シフトレジスタの出力７６に渡される。したがって、クロック１および２入力７２、７４上の連続パルスの後、入力７８上の論理レベルが単一ビットとして出力７６に渡される。
　【００３２】
　ロード・トランジスタ５２、５６、６２が、クロック・パルス中を除いて常にオフであるので、図２のレジスタ５０が電力をほとんど消費しないことに留意されたい。
　【００３３】
　一好適実施例において、図３に示される４ビット例などのディジタル・コードを提供するためにいくつかのシフトレジスタ５０が直列接続されている。ロード信号７０上の電圧パルスは、コード化論理レベルの並列ロード、或いは４つのシフトレジスタ５０Ａ乃至Ｄの各々内でのビット・コード化を開始する。前述のように、これによって、プログラム済み論理レベルが各シフトレジスタ５０Ａ乃至Ｄの入力７８（図２）に動的に記憶される。クロック１入力７２上のパルスの後にクロック２入力７４上のパルスが続くと、論理レベルが各レジスタ入力７８から各レジスタ出力７６にシフトされ、それによって、各レジスタ出力７６が次のレジスタの入力７８上に動的に記憶される。
　【００３４】
　クロック１及びクロック２の各パルスシーケンスによって、各プログラム済みビットは、制御装置２６によって全てのビットが読み取られるまで、順次連続的に出力装置８０にシフトされ、制御装置２６によって読み取られる。制御装置２６は、そのコードを解釈して印刷ヘッド識別情報を判定し、それに応じて印刷制御アルゴリズムを再構成するようにプログラムされている。このように、単一のインク・ジェット・プリンタが多数の異なるタイプの印刷ヘッドに適応することができる。
　【００３５】
　図３に示されるように、出力装置８０はオープン・ドレイン出力トランジスタ８４と放電トランジスタ８２とを好ましくは含む。出力トランジスタ８４のドレインでの電圧レベルは、プリンタ電子機器２２（図１）内のロード装置（図示せず）を介して線８６上でプルアップされ、そのため、プリンタ制御装置２６は各クロック２パルスの後にプログラム済み論理レベルを読み取る。たとえば、クロック２パルスによって出力トランジスタ８４のゲートへプログラム済み論理レベル「１」が送られると、出力トランジスタ８４が活動状態になり、ドレインがプルダウンされる。制御装置２６は、線８６で電圧レベルを読み取ることによってドレインでの電圧レベルが低下したことを検出し、それによって、ＩＤ回路３２によって論理レベル「１」が送られたことを検知する。同様に、各連続クロック２パルスによって、シフトレジスタ５０Ａ乃至Ｄのプログラム済み論理レベルは順次シフトされ、順次出力トランジスタ８４へ送られ、制御装置２６によって読み取られる。図４は、図３のＩＤ回路３２による４ビットのコード化情報の順次伝送に関するタイミング・チャートである。
　【００３６】
　引き続き図３を参照すると分かるように、オープン・ドレイン出力８６は好ましくは、既存のチップ入出力線を使用して、温度検知出力３５などのコード化識別情報を順次、プリンタ制御装置２６へ送る。コード化情報が順次送られるという事実を伴う既存の温度検知出力３５の使用は、追加的なチップ出力線の必要性を削減するものである。コード化情報の全てのビットが読み取られた後、ロード信号線７０上のパルスによって放電トランジスタ８２が活動化させて、出力トランジスタ８４のゲートを放電し、そのため、出力トランジスタ８４が放電した直後に制御装置２６へ有効な温度検知情報を送ることができる。温度検知回路３４の通常の動作に対する可能性ある干渉を防止するために、温度検知回路３４の読み取りの前に制御装置２６によってロード信号線７０上にパルスが出力される。これによって、出力トランジスタ８４のゲートは、温度制御動作中、放電状態が維持される。
　【００３７】
　制御装置２６は、線８６上の連続ディジタル出力を読み取り、受け取ったビット・パターンと記憶されている印刷ヘッド情報の相関を比較することによって印刷ヘッド識別情報を判定する。プリンタ制御装置２６によって印刷ヘッドが適切に識別された場合、制御装置２６は据え付けられている印刷ヘッドを用いた印刷に適応するように制御システム・アルゴリズムを再構成することができる。
　【００３８】
　本発明では、要求されたアドレス線２９の数を増加させることなしに、任意の数のシフトレジスタ５０が使用可能であることが理解されよう。したがって、印刷ヘッド識別情報を含むディジタル・コードを、順次、プリンタ制御装置２６へ送り、ディジタル・コードを有するビット数が、利用可能なアドレス線２９の数に依存しないインク・ジェット印刷ヘッド識別回路３２が開示されている。
　【００３９】
　本発明の実施例に種々の修正または変更、あるいはその両方を加えることが可能であることが、当業者には、前述の説明及び図面から企図されると共に明白あろう。従って意図されることは、上述の説明等は、好ましい実施例を例示すものに過ぎず、それを制限するものではなく、本発明の真の趣旨及び範囲は、添付の特許請求の範囲を参照することによって決定されるべきことである。
【図面の簡単な説明】
　【図１】
　印刷ヘッド識別システムのブロック図である。
　【図２】
　１ビット動的シフトレジスタの回路図である。
　【図３】
　４ビット並列入力順次出力識別回路のブロック図である。
　【図４】
　図３に示される回路に関するタイミング・チャートである。
　【符号の説明】
　２２　プリンタ電子機器
　２４　印刷ヘッド電子機器
　２６　制御装置
　２８　印刷ヘッド駆動回路
　３２　識別回路（ＩＤ）回路
　３４　温度検知回路
　５０　１ビット動的シフトレジスタ
【図面】